(57)【要約】      （修正有）【課題】ラップトップコンピュータのための調節可能な支持構造を提供する。【解決手段】第１の平坦な部分３が設けられており、該第１の平坦な部分３が、該第１の平坦な部分のエッジにリップ７を有しており、第２の平坦な部分１１が設けられており、該第２の平坦な部分１１が、該第２の平坦な部分１１の表面に対して様々な異なる角度で向き付けられた複数のスロット１３を有しており、該スロット１３が、第１の平坦な部分３が挿入されることができるように寸法決めされており、第１の平坦な部分３が挿入されるスロットの１つを選択することによってスタンドの高さが調整可能である。【選択図】図１
2008269592.tif 000002
【特許請求の範囲】
【請求項１】
スタンドにおいて、
第１の平坦な部分が設けられており、該第１の平坦な部分が、該第１の平坦な部分のエッジにリップを有しており、
第２の平坦な部分が設けられており、該第２の平坦な部分が、該第２の平坦な部分の表面に対して様々な異なる角度で向き付けられた複数のスロットを有しており、該スロットが、前記第１の平坦な部分が挿入されることができるように寸法決めされており、前記第１の平坦な部分が挿入される前記スロットの１つを選択することによって前記スタンドの高さが調整可能であることを特徴とする、スタンド。
【請求項２】
前記スロットが前記第２の平坦な部分のエッジに隣接して配置されている、請求項１記載のスタンド。
【請求項３】
前記第２の平坦な部分に少なくとも１つの通気孔が設けられている、請求項１記載のスタンド。
【請求項４】
前記第２の平坦な部分に少なくとも１つの通気孔が設けられている、請求項２記載のスタンド。
【請求項５】
前記スタンドが分解された場合にコンパクトな運搬及び収納のために前記部分が互いに重ねて配置されるように、前記第１の平坦な部分及び前記第２の平坦な部分の長さ及び幅の寸法が同じである、請求項１記載のスタンド。
【請求項６】
前記スタンドが分解された場合にコンパクトな運搬及び収納のために前記部分が互いに重ねて配置されるように、前記第１の平坦な部分及び前記第２の平坦な部分の長さ及び幅の寸法が同じである、請求項２記載のスタンド。
【請求項７】
前記スタンドが分解された場合にコンパクトな運搬及び収納のために前記部分が互いに重ねて配置されるように、前記第１の平坦な部分及び前記第２の平坦な部分の長さ及び幅の寸法が同じである、請求項３記載のスタンド。
【請求項８】
前記スタンドが分解された場合にコンパクトな運搬及び収納のために前記部分が互いに重ねて配置されるように、前記第１の平坦な部分及び前記第２の平坦な部分の長さ及び幅の寸法が同じである、請求項４記載のスタンド。
【請求項９】
前記複数のスロットが、４つであり、それぞれが前記表面に対して２０゜と、３０゜と、４０゜と、５０゜とに向き付けられている、請求項１記載のスタンド。
【請求項１０】
前記複数のスロットが、４つであり、それぞれが前記表面に対して２０゜と、３０゜と、４０゜と、５０゜とに向き付けられている、請求項２記載のスタンド。
【請求項１１】
前記複数のスロットが、４つであり、それぞれが前記表面に対して２０゜と、３０゜と、４０゜と、５０゜とに向き付けられている、請求項３記載のスタンド。
【請求項１２】
前記複数のスロットが、４つであり、それぞれが前記表面に対して２０゜と、３０゜と、４０゜と、５０゜とに向き付けられている、請求項４記載のスタンド。
【請求項１３】
前記複数のスロットが、４つであり、それぞれが前記表面に対して２０゜と、３０゜と、４０゜と、５０゜とに向き付けられている、請求項５記載のスタンド。
【請求項１４】
前記複数のスロットが、４つであり、それぞれが前記表面に対して２０゜と、３０゜と、４０゜と、５０゜とに向き付けられている、請求項６記載のスタンド。
【請求項１５】
前記複数のスロットが、４つであり、それぞれが前記表面に対して２０゜と、３０゜と、４０゜と、５０゜とに向き付けられている、請求項７記載のスタンド。
【請求項１６】
前記複数のスロットが、４つであり、それぞれが前記表面に対して２０゜と、３０゜と、４０゜と、５０゜とに向き付けられている、請求項８記載のスタンド。
【請求項１７】
前記複数のスロットが、２つであり、それぞれが前記表面に対して４０゜と５０゜とに向き付けられている、請求項１記載のスタンド。
【請求項１８】
前記複数のスロットが、２つであり、それぞれが前記表面に対して４０゜と５０゜とに向き付けられている、請求項２記載のスタンド。
【請求項１９】
前記複数のスロットが、２つであり、それぞれが前記表面に対して４０゜と５０゜とに向き付けられている、請求項３記載のスタンド。
【請求項２０】
前記複数のスロットが、２つであり、それぞれが前記表面に対して４０゜と５０゜とに向き付けられている、請求項４記載のスタンド。
【請求項２１】
前記複数のスロットが、２つであり、それぞれが前記表面に対して４０゜と５０゜とに向き付けられている、請求項５記載のスタンド。
【請求項２２】
前記複数のスロットが、２つであり、それぞれが前記表面に対して４０゜と５０゜とに向き付けられている、請求項６記載のスタンド。
【請求項２３】
前記複数のスロットが、２つであり、それぞれが前記表面に対して４０゜と５０゜とに向き付けられている、請求項７記載のスタンド。
【請求項２４】
前記複数のスロットが、２つであり、それぞれが前記表面に対して４０゜と５０゜とに向き付けられている、請求項８記載のスタンド。
【発明の詳細な説明】
【技術分野】
【０００１】
本発明は概して可搬式スタンド、特にラップトップコンピュータを支持するためのスタンドに関する。
【背景技術】
【０００２】
収納のためにコンパクトな状態に折畳み可能なスタンドを含む、ラップトップコンピュータのためのスタンドが技術上よく知られている。
【０００３】
例えば、米国特許第５５１１７５８号明細書は、ノートブック型コンピュータを支持するための、折畳みブレースによって結合された２つの平行な支持体を有する折畳みスタンドを開示している。折畳みブレースは、リンクによって枢動可能に結合された、支持体の間に枢動可能に結合された２つのブレーシングバーを含む。支持体は、快適な操作のための傾斜した位置にノートブック型コンピュータを支持するための個々の傾斜した上壁と、スタンドを折り畳むために折畳みブレースが折り畳まれた場合に１つのブレーシングバーを収容するための細長い底部開口とを有する。
【０００４】
米国特許第５６０７１３５号明細書は折畳み可能な一体型タブレットスタンドを開示しており、この一体型タブレットスタンドは、ベース区分と、ベース区分に対して昇降させられることができるバックレスト区分と、ベースに対して昇降させられることができかつベース区分の前側部分に配置された１対の突出部とを有しており、これにより、バックレスト区分及び突出部が上昇した状態にある場合に、タブレットがバックレスト区分によって保持され、それと同時にタブレットの底部がベース区分によって保持されかつ突出部の対によって保持される。ホルダ区分はベース区分内へ折畳み可能であり、バックレスト区分の背後にヒンジ結合されており、バックレスト区分がこれによって固定されるようにベース区分の部分に保持されている。
【０００５】
米国特許第５９１５６６１号明細書は、コンピュータディスプレイの見る角度の変更を許容するための可搬式コンピュータのための折畳み式デスクスタンドと、可搬式コンピュータを外部周辺デバイスに接続するための能力とを開示している。可搬式コンピュータは、データ入力が最も便利であるように右利き及び左利きの人が可搬式コンピュータを位置決めすることができるように、スタンド上に位置決めされることができる。スタンドは、折り畳まれた位置においてロックされることができるようにするための特徴を有する。調節可能なハンドストラップアセンブリも設けられている。
【０００６】
米国特許第６０７６７８７号明細書は、収納のためにコンパクトな状態に折り畳むことができる、ラップトップコンピュータを保持するための可搬式スタンドを開示している。可搬式スタンドは、床面に載置されるための１対のベース脚部を備えた細長いベース部材と、垂直に延びたポスト部材のセットと、ラップトップコンピュータを使用準備された位置に保持するための１対の支持ウイングを備えた細長いプラットフォーム部材とを有する。ベース脚部は、ベース部材に並置されたコンパクトな位置から、ベース部材に対して実質的に垂直な延長位置まで旋回するように、細長いベース部材に可動に取り付けられている。ポスト部材は、互いに可動に取り付けられており、細長いベース部材に可動に取り付けられており、細長いプラットフォーム部材に可動に取り付けられている。ベース脚部及び支持ウイングは、それぞれベース部材及び支持部材から実質的に水平に旋回するのに対し、ポスト部材は、互いに対して及び細長いベース及び支持部材に対して実質的に垂直に旋回する。
【０００７】
米国特許第６５０５７９７号明細書は、水平なエッジを含む椅子又は同様の垂直構造に取り付けられるラップトップコンピュータスタンドを開示している。懸垂フレームアセンブリは、一方の端部において、枢動可能に取り付けられたアーチ状のアームを有しており、このアームは、一方の極端位置において椅子のエッジを収容し、他方の極端位置において懸垂フレームアセンブリ内に引込み可能である。懸垂フレームアセンブリはベースフレームアセンブリに枢動可能に取り付けられており、ベースフレームアセンブリは、一方の極端位置において懸垂フレームアセンブリを収容し、他方の極端位置において懸垂フレームアセンブリと実質的に矩形の関係である。枢動可能に取り付けられた脚部材は、一方の極端位置においてベースフレームアセンブリを所定の角度まで上昇させるために使用され、別の位置において、他方の極端位置の間、脚部材が懸垂フレームスペースと収容されるとスペーサとして使用される。リテーナ部材枢動可能に取り付けられたフランジは、ラップトップコンピュータが滑り落ちるのを防ぐためにラップトップコンピュータのためのストッパとして働くために、ベースフレームアセンブリの遠位端部に取り付けられている。
【０００８】
米国特許第６５４５８６４号明細書は、Ｕ字形ポケット及び支持体を有する、ノートブック型コンピュータのためのノートブック型コンピュータスタンドを開示している。Ｕ字形ポケットは、キーボードと、ＣＰＵと、マウスと、関連するハードウェアとを収容するノートブック型コンピュータの比較的厚いフレーム部分を収容する。ノートブック型コンピュータのヒンジ結合されたディスプレイは、見やすくするためにポケットの上方に配置される。１つの実施形態において、ノートブック型コンピュータスタンドは、収納室と、ノートブック型コンピュータに接続されたケーブルの経路を定めるためのケーブルスロットと、コンピュータスタンドの高さ、間接的にはディスプレイの見る角度、を変化させるための高さ調節装置とを有する
米国特許第６６８２０４０号明細書は、異なる傾斜角度でラップトップコンピュータを支持するためのスタンドを開示している。１つの実施形態によれば、台形の上板が設けられており、上板は、上板のより狭い平行な辺に沿って配置された多数のライザークラスタを有する。それぞれのライザークラスタは、ライザーエレメント内に嵌合しかつライザーエレメントを保持するように構成されていることができる。台形の下板は、コネクタによって上板に結合されることができ、コネクタは、上板が下板に対して回転することを許容する。多数のラップトップコンピュータ支持体は、上板のより広い平行な辺に結合されており、ラップトップコンピュータの一方の端部を滑らないように支持するように構成されている。少なくとも２つのライザーエレメントが、少なくとも２つのライザークラスタにそれぞれ積層されている。ラップトップコンピュータの反対側の端部を滑らないように支持するために、少なくとも２つのライザーエレメント上にそれぞれ、少なくとも２つのライザキャップが、ラップトップの一方の端部よりも高い平面に積層されている。ラップトップの対流冷却及びキーボード傾斜を変化させるために、ライザーエレメントを積層体に加えるか又はライザーエレメントを積層体から除去することによって、可変傾斜角度が提供されることができる。
【特許文献１】米国特許第５５１１７５８号明細書
【特許文献２】米国特許第５６０７１３５号明細書
【特許文献３】米国特許第５９１５６６１号明細書
【特許文献４】米国特許第６０７６７８７号明細書
【特許文献５】米国特許第６５０５７９７号明細書
【特許文献６】米国特許第６５４５８６４号明細書
【特許文献７】米国特許第６６８２０４０号明細書
【発明の開示】
【課題を解決するための手段】
【０００９】
本発明の態様は、ラップトップコンピュータのための調節可能な支持構造を提供することであり、この支持構造は、コンピュータディスプレイが目の高さまで持ち上げられることを可能にしかつ、移動のために平坦に折り畳まれる。
【００１０】
発明の別の態様によれば、使用中にラップトップコンピュータによって発生される熱をより多く放散させるためにラップトップの下側により多くの空気流を提供するために、通気空気孔が設けられている。
【００１１】
典型的な実施形態による調節可能な支持構造は、安価に製造され、少数の部材を用いて容易に組み立てられる。
【００１２】
上記態様は、第１の平坦部分が設けられており、この第１の平坦部分が、そのエッジにリップを備えており、第２の平坦部分が設けられており、この第２の平坦部分が、第２の平坦部分の表面に対して種々異なる角度で向き付けられた複数のスロットを有しており、複数のスロットが、第１の平坦部分がこれらのスロットに挿入されることができるように寸法決めされており、第１の平坦部分が挿入されるスロットを選択することによってスタンドの高さが調整可能である、スタンドによって達成されることができる。
【００１３】
これらの態様及び利点は、後で明らかになるであろうその他の態様及び利点と共に、より完全に以下に説明されかつ請求項に記載されたような構造及び操作の詳細に存在し、これの一部を形成する添付された図面が参照され、これらの図面において同じ参照符号は全体を通じて同じ部材を示す。
【発明を実施するための最良の形態】
【００１４】
発明の典型的な実施形態が以下に示される。しかしながら、当業者は、その他の実施形態及び変更態様が可能であることを認めるであろう。
【００１５】
概して、２つの板が提供され、これらの板は、組み立てられた場合、ラップトップコンピュータ、スマートフォン、又は同様に成形された物体のための調節可能なスタンドとして作用する。分解された場合、２つの板は、雑誌又は本とほぼ等しい空間を占め、移動する場合に容易に収納される。
【００１６】
図１は、完全に組み立てられた場合の、本発明によるスタンド１の第１の実施形態を示している。ここでは"エッジプレート"と呼ばれる第１の平坦な面３は、ラップトップコンピュータ（図６参照）を支持するために、図２を参照してより詳細に示されている。平坦な面３は、図２Ａに最もよく示されたゴムパッド５を有しており、このゴムパッドにラップトップコンピュータの前縁が当接する。ラップトップコンピュータがゴムパッドから滑り落ちないようにするために、ゴムパッド５のすぐ前方においてリップ７が僅かに突出した"棚"を形成している。より優れた通気と、より低温で、より静かに作動するラップトップコンピュータとのために、大きな楕円形の孔９がラップトップコンピュータの下側に空気を自由に流過させる。
【００１７】
ここでは"バックプレート"と呼ばれる第２の平坦な面１１は、図３を参照してより詳細に示されており、図３Ａに最もよく示されているように、個々のエッジに沿って４つのスロット１３を有する。エッジプレート３は、スタンドを組み立てるために、４つのスロット１３のうちの１つに挿入される。
【００１８】
図４は、第１の平坦な面３を個々の傾斜したスロット１３に挿入することによって様々な角度に調整されたスタンド１と、スタンド高さの結果的な調節とを示している。
【００１９】
図５は、典型的なラップトップコンピュータよりも小さな物体、例えばスマートフォン、可搬式ビデオプレーヤ、又はその他の小型デバイス等、と共に使用するためのより小さな寸法のスタンド１Ａ（例えばクレジットカードサイズ）の択一的な実施形態を示している。この択一的な実施形態においては２つのスロット１３のみが設けられており、好適なスロット角度は４０゜及び５０゜である。
【００２０】
図６は、使用時の図１及び図５の２つの実施形態のスタンドを示しており、一方はラップトップコンピュータを保持しており、他方は可搬式音楽／ビデオデバイスを保持している。
【００２１】
発明の多くの特徴及び利点が詳細な明細書から明らかであり、したがって、添付された請求項によって、発明の真実の精神及び範囲に含まれる発明の全てのこのような特徴及び利点をカバーすることが意図されている。さらに、当業者には多くの変更が容易に生じるので、発明を、例示及び説明された構成及び操作に限定することは望まれず、したがって、全ての適切な変更及び均等物は、発明の範囲に含まれる。
【図面の簡単な説明】
【００２２】
【図１】発明の実施形態による組み立てられた状態におけるスタンドの斜視図である。
【図２】図１の実施形態のためのエッジプレートを示す図である。
【図３】図１の実施形態のためのバックプレートを示す図である。
【図４】複数の異なる角度への図１の実施形態のスタンドの調整を示す図である。
【図５】発明の択一的な実施形態による組み立てられた状態におけるスタンドの斜視図である。
【図６】それぞれ可搬式エンターテイメントデバイス及びラップトップコンピュータを保持する、使用時の、図１及び図５に示されたスタンドの斜視図である。
【符号の説明】
【００２３】
１  スタンド、  ３  第１の平坦な面、  ５  ゴムパッド、  ７  リップ、  ９  孔、  １１  第２の平坦な面、  １３  スロット
【図１】
2008269592.tif 000003
【図２】
2008269592.tif 000004
【図３】
2008269592.tif 000005
【図４】
2008269592.tif 000006
【図５】
2008269592.tif 000007
【図６】
2008269592.tif 000008